(57)【特許請求の範囲】
【請求項１】
毛髪処理剤を毛髪に塗布するためのブラシを有し、該ブラシに該毛髪処理剤を供給するブラシ一体型容器であって、
前記毛髪処理剤を収納する容器本体と、
該容器本体に係合・固定され、前記容器本体内の毛髪処理剤が流出する流路を有し一端が閉塞された内部筒状体と、
該内部筒状体に前記閉塞された一端側から嵌合し、前記内部筒状体の軸線回りに回動若しくは回転自在な外部筒状体と、
該外部筒状体の軸線に沿って前記外部筒状体の外壁面に形成され、毛髪梳き部が広い第１のブラシと、
該第１のブラシと前記外部筒状体の軸線回りの異なる位置に前記外部筒状体の軸線に沿って前記外部筒状体の外壁面に形成され、毛髪梳き部が狭い第２のブラシとを備え、
前記内部筒状体には、前記流路から前記毛髪処理剤を流出させるための処理液流出スリットが、前記内部筒状体の軸線に沿って空けられており、
前記外部筒状体には、該処理液流出スリットと重なり合い該処理液流出スリットから前記第１のブラシに前記毛髪処理剤を流出させる第１のブラシスリットと、前記処理液流出スリットとスリット長さの所定範囲で重なり合い該処理液流出スリットから前記第２のブラシに前記毛髪処理剤を流出させる第２のブラシスリットとが空けられており、
前記第１のブラシスリットと前記処理液流出スリットとが重なり合う位置又は前記第２のブラシスリットと前記処理液流出スリットとが重なり合う位置のいずれかの位置に、前記回動若しくは回転された外部筒状体を前記内部筒状体又は前記容器本体に対して位置決めする位置決め手段を備え、
前記重なり合う前記第１のブラシスリットと前記処理液流出スリットのうち前記内部筒状体から前記第１のブラシへの前記毛髪処理剤の実質的な流出状況を規定する側のスリットは、前記内部筒状体の前記閉塞された一端側ほどスリット幅が幅広のテーパ状に空けられていること
を特徴とするブラシ一体型容器。
【請求項２】
請求項１記載のブラシ一体型容器であって、
前記第１のブラシと第２のブラシとは、前記外部筒状体の軸線を中心に対称な位置に前記外部筒状体の外壁面に形成されているブラシ一体型容器。
【請求項３】
請求項１又は請求項２記載のブラシ一体型容器であって、
前記容器本体は、押圧により弾性変形し内容積を減少させるものであるブラシ一体型容器。
【請求項４】
請求項１ないし請求項３いずれか記載のブラシ一体型容器であって、
前記容器本体又は内部筒状体には、前記処理液流出スリットの開口位置を指し示す開口指示手段が設けられており、
前記外部筒状体には、前記第１のブラシスリットと前記処理液流出スリットとが重なり合うと前記開口指示手段と合致する第１のブラシ合致手段と、前記第２のブラシスリットと前記処理液流出スリットとが重なり合うと前記開口指示手段と合致する第２のブラシ合致手段とが設けられているブラシ一体型容器。
【請求項５】
請求項１ないし請求項４いずれか記載のブラシ一体型容器であって、
前記重なり合う前記第２のブラシスリットと前記処理液流出スリットのうち前記内部筒状体から前記第２のブラシへの前記毛髪処理剤の実質的な流出状況を規定する側のスリットは、前記内部筒状体の前記閉塞された一端側ほどスリット幅が幅広のテーパ状に空けられているブラシ一体型容器。
【発明の詳細な説明】
【０００１】
【産業上の利用分野】
本発明は、毛髪処理剤を毛髪に塗布するためのブラシを有し、該ブラシに該毛髪処理剤を供給するブラシ一体型容器に関する。
【０００２】
【従来の技術】
従来、この種のブラシ一体型容器では、その有するブラシに毛髪処理剤を供給して毛髪を梳けば、染毛剤や毛髪剤等の毛髪処理剤を手軽に毛髪に塗布できる。このため、急速に普及している（特開平４−６１８０３号等）。
【０００３】
【発明が解決しようとする課題】
これら従来のブラシ一体型容器では、毛髪処理剤、例えば染毛剤を流出させるための部材の内部に流路を設け、この流路からブラシに染毛剤が流出するよう、当該部材に均一幅のブラシスリットがブラシの毛髪梳き範囲に亘って空けられている。このため、染毛剤等のように比較的粘性の高い毛髪処理剤をこのブラシスリットから流出させる場合には、容器本体に近い側では、容器本体に近い分だけ染毛剤は行き渡り易く、容器本体から離れた側では、容器本体から離れる分だけ行き渡り難い。しかし、このように染毛剤の行き渡り易さに差があるにも拘らずブラシスリットは均一幅なため、容器本体に近い側では、容器本体から離れた側より多くの量の染毛剤が流出することになる。よって、容器本体から離れた側ではブラシスリットからの染毛剤の流出量が不足することがあり、ブラシで毛髪を梳いた場合の毛髪梳き範囲で染毛の程度にムラが生じることがあった。
【０００４】
また、頭頂部や頭部側面等のように毛髪量が多く毛髪の処理箇所（染毛箇所）が比較的頭皮から離れている箇所の毛髪を、上記の従来のブラシ一体型容器で梳きながら染毛等する場合には、上記したムラの問題を除けば、使い勝手が悪いわけではない。しかしながら、毛髪の生え際のような皮膚に近い箇所や、もみあげ，顎髭等のように毛髪の短い箇所（以下、これら箇所を単に生え際・短毛箇所と略称する）の毛髪を染毛等する際には、次のような問題がある。
【０００５】
つまり、特開平４−６１８０３号では、スリット状の吐出口を経て染毛剤が一律にブラシから吐出されるので、毛髪を梳かない箇所に当たるブラシからも染毛剤が吐出される。よって、その近くの皮膚などにも染毛剤が付着してしまう。このため、生え際・短毛箇所の染毛等の際には、ブラシ一体型容器とは別個の小型のブラシを手で持ってこのブラシに容器から吐出させた染毛剤を一旦付着させ、更にこの別個のブラシで染毛するしかなかった。この際には、ブラシ一体型容器と別個の小型のブラシとを別々の手で持つ必要があるため、使い勝手が悪かった。
【０００６】
もっとも、この別個のブラシを容器と一体とされたブラシと取り外し交換できるよう構成することもできるが、交換して取り外したブラシには染毛剤が付着しているのでその保管が煩わしく、本質的な解決にはならない。
【０００７】
本発明は、上記問題点を解決するためになされ、ブラシ一体型容器のブラシの毛髪梳き範囲に亘る均一な毛髪処理剤の流出を図ることを第１の目的とする。そして、この第１の目的に加えて、ブラシ一体型容器の使い勝手の向上と毛髪処理領域の拡張との両立を図ることをも第２の目的とする。
【０００８】
【課題を解決するための手段】
かかる目的を達成するために本発明のブラシ一体型容器で採用した手段は、
毛髪処理剤を毛髪に塗布するためのブラシを有し、該ブラシに該毛髪処理剤を供給するブラシ一体型容器であって、
前記毛髪処理剤を収納する容器本体と、
該容器本体に係合・固定され、前記容器本体内の毛髪処理剤が流出する流路を有し一端が閉塞された内部筒状体と、
該内部筒状体に前記閉塞された一端側から嵌合し、前記内部筒状体の軸線回りに回動若しくは回転自在な外部筒状体と、
該外部筒状体の軸線に沿って前記外部筒状体の外壁面に形成され、毛髪梳き部が広い第１のブラシと、
該第１のブラシと前記外部筒状体の軸線回りの異なる位置に前記外部筒状体の軸線に沿って前記外部筒状体の外壁面に形成され、毛髪梳き部が狭い第２のブラシとを備え、
前記内部筒状体には、前記流路から前記毛髪処理剤を流出させるための処理液流出スリットが、前記内部筒状体の軸線に沿って空けられており、
前記外部筒状体には、該処理液流出スリットと重なり合い該処理液流出スリットから前記第１のブラシに前記毛髪処理剤を流出させる第１のブラシスリットと、前記処理液流出スリットとスリット長さの所定範囲で重なり合い該処理液流出スリットから前記第２のブラシに前記毛髪処理剤を流出させる第２のブラシスリットとが空けられており、
前記第１のブラシスリットと前記処理液流出スリットとが重なり合う位置又は前記第２のブラシスリットと前記処理液流出スリットとが重なり合う位置のいずれかの位置に、前記回動若しくは回転された外部筒状体を前記内部筒状体又は前記容器本体に対して位置決めする位置決め手段を備え、
前記重なり合う前記第１のブラシスリットと前記処理液流出スリットのうち前記内部筒状体から前記第１のブラシへの前記毛髪処理剤の実質的な流出状況を規定する側のスリットは、前記内部筒状体の前記閉塞された一端側ほどスリット幅が幅広のテーパ状に空けられていること
をその要旨とする。
【００１２】
この場合、上記した毛髪処理剤の実質的な流出状況を規定するスリットは、外部筒状体の第１のブラシスリットと内部筒状体の処理液流出スリットとが重なり合う都合上、次のようにして定まる。まず、第１のブラシスリットと処理液流出スリットとがほぼ同一形状である場合には、両スリットは一致して重なり合いスリットの開口周縁領域は閉塞されないので、内部筒状体から第１のブラシへの毛髪処理剤の実質的な流出状況は、この両スリットで規定される。よって、この場合には、第１のブラシスリットと処理液流出スリットとが上記した毛髪処理剤の実質的な流出状況を規定するスリットとなり、この両スリットとも内部筒状体の閉塞された一端側ほどスリット幅が幅広のテーパ状である。
【００１３】
しかし、第１のブラシスリットと処理液流出スリットとが重なり合うといずれかのスリットの開口周縁領域がスリット周囲の壁面により閉塞される場合は、次のようになる。つまり、外部筒状体の第１のブラシスリットが幅広なスリット開口である場合には、第１のブラシスリットの開口周縁領域は、処理液流出スリット周囲の内部筒状体外壁面により内側から閉塞される。このため、第１のブラシスリットの開口領域の内側で処理液流出スリットが露出することになり、上記実質的な流出状況は、この露出した処理液流出スリットで規定される。よって、この場合には、処理液流出スリットが上記した毛髪処理剤の実質的な流出状況を規定するスリットとなり、内部筒状体の閉塞された一端側ほどスリット幅が幅広のテーパ状である。
【００１４】
その一方、内部筒状体の処理液流出スリットが幅広なスリット開口である場合には、処理液流出スリットの開口周縁領域は、第１のブラシスリット周囲の外部筒状体内壁面により外側から閉塞される。このため、処理液流出スリットは外部筒状体によりその開口周縁領域が塞がれて外側からは見られず、第１のブラシスリットのみが外部に露呈することになる。よって、この場合には、上記実質的な流出状況はこの露呈した第１のブラシスリットで規定されるため、この第１のブラシスリットが上記した毛髪処理剤の実質的な流出状況を規定するスリットとなり、内部筒状体の閉塞された一端側ほどスリット幅が幅広のテーパ状である。
【００１５】
上記した本発明のブラシ一体型容器は種々の態様を採ることができる。第１の態様では、
前記第１のブラシと第２のブラシとを、前記外部筒状体の軸線を中心に対称な位置に前記外部筒状体の外壁面に形成した。
【００１６】
第２の態様のブラシ一体型容器では、
前記容器本体を、押圧により弾性変形し内容積を減少させるものとした。
【００１７】
第３の態様のブラシ一体型容器では、
前記容器本体又は内部筒状体には、前記処理液流出スリットの開口位置を指し示す開口指示手段を設け、
前記外部筒状体には、前記第１のブラシスリットと前記処理液流出スリットとが重なり合うと前記開口指示手段と合致する第１のブラシ合致手段と、前記第２のブラシスリットと前記処理液流出スリットとが重なり合うと前記開口指示手段と合致する第２のブラシ合致手段とを設けた。
【００１８】
第４の態様のブラシ一体型容器では、
前記重なり合う前記第２のブラシスリットと前記処理液流出スリットのうち前記内部筒状体から前記第２のブラシへの前記毛髪処理剤の実質的な流出状況を規定する側のスリットを、前記内部筒状体の前記閉塞された一端側ほどスリット幅が幅広のテーパ状に空けた。
【００１９】
この場合の内部筒状体から第２のブラシへの毛髪処理剤の実質的な流出状況を規定するスリットについても、上記した外部筒状体の第１のブラシスリットと内部筒状体の処理液流出スリットとの場合と同様に、第２のブラシスリットと処理液流出スリットとの重なり合いの都合により定まる。
【００２０】
【作用】
上記構成を有する本発明のブラシ一体型容器では、毛髪処理剤を収納する容器本体に一端が閉塞された内部筒状体を係合・固定し、容器本体内の毛髪処理剤をこの内部筒状体の流路に容器本体内から流出する。そして、この流路に流出した毛髪処理剤は、内部筒状体に空けられた処理液流出スリットから流出することになる。一方、内部筒状体には、その閉塞された一端側から外部筒状体が内部筒状体の軸線回りに回動若しくは回転自在に嵌合されている。そして、この外部筒状体は、位置決め手段により、内部筒状体又は容器本体に対して位置決めされ、外部筒状体に空けられた第１のブラシスリット又は第２のブラシスリットは、内部筒状体の処理液流出スリットと重なり合う。この場合、第１のブラシと第２のブラシとは、外部筒状体の軸線回りの異なる位置に外部筒状体の軸線に沿ってそれぞれ外部筒状体の外壁面に形成されているので、第１のブラシスリットと第２のブラシスリットは、他方のブラシスリットが内部筒状体の処理液流出スリットと重なり合っている際には、閉塞される。
【００２３】
このため、位置決め手段により第１のブラシスリットと処理液流出スリットとが重なり合うよう外部筒状体が位置決めされると、毛髪処理剤は、処理液流出スリットを経て第１のブラシスリットから毛髪梳き部が広い第１のブラシに流出する。その一方、位置決め手段により第２のブラシスリットと処理液流出スリットとが重なり合うよう外部筒状体が位置決めされると、毛髪処理剤は、処理液流出スリットを経て第２のブラシスリットから毛髪梳き部が狭い第２のブラシに流出する。つまり、毛髪処理剤の流出対象ブラシを、毛髪梳き部が広くて毛髪量の多い箇所の毛髪処理に適した第１のブラシと、生え際・短毛箇所の毛髪処理に適した第２のブラシのいずれかに使い分けるに当たり、内部筒状体の軸線回りの外部筒状体の回動若しくは回転で済み、外部筒状体の取り外しや保管を要しない。更に、第１のブラシと第２のブラシの一方に毛髪処理剤が流出している際には、他方のブラシに毛髪処理剤が流出することはない。
【００２４】
しかも、本発明のブラシ一体型容器では、重なり合う第１のブラシスリットと処理液流出スリットのうち内部筒状体から第１のブラシへの毛髪処理剤の実質的な流出状況を規定する側のスリットを、内部筒状体の閉塞された一端側ほどスリット幅が幅広のテーパ状に空けた。よって、この第１のブラシへの毛髪処理剤の実質的な流出状況を規定するスリット、即ち既述したように第１のブラシスリットと処理液流出スリットの両スリット若しくはいずれかのスリットにおいては、そのスリットの長さ方向でスリット幅の広狭により毛髪処理剤の流出量に差を持たせる。このため、毛髪処理剤が行き渡り易い容器本体側ではスリット幅が狭いためその流出が控えられ、容器本体から離れ毛髪処理剤が行き渡り難い側ではスリット幅が徐々に広くなり毛髪処理剤の流出量も徐々に増す。従って、第１のブラシの毛髪梳き範囲に亘っては、毛髪処理剤の流出量はほぼ均一となる。この場合、第１のブラシスリットは毛髪梳き部が広い第１のブラシに毛髪処理剤を流出させるので、そのスリット長さは毛髪梳き部に合わせて長くなる。よって、第１のブラシからは比較的多量の毛髪処理剤が流出する。
【００２５】
その一方、第２のブラシスリットを処理液流出スリットとスリット長さの所定範囲で重なり合うよう空けたので、処理液流出スリットを経て第２のブラシスリットから流出する毛髪処理剤の量を、第２のブラシによる毛髪梳きの対象となる生え際・短毛箇所の毛髪処理に応じて控えることができる。つまり、第２のブラシから毛髪処理剤を流出させる際には、その量を第１のブラシの場合より少ない量に調整する。
【００２６】
この場合、第２のブラシスリットと処理液流出スリットとの重なり範囲を、処理液流出スリットが上記したようにテーパ状である場合にはそのスリット幅の幅広の側とすれば、第１のブラシよりは控えられるものの比較的多めの量の毛髪処理剤を第２のブラシから流出することができる。
【００２７】
第１の態様のブラシ一体型容器では、第１のブラシと第２のブラシとを、外部筒状体の軸線を中心に対称な位置において形成したので、毛髪処理剤を流出させて毛髪を梳く側のブラシから、毛髪処理剤を流出させない他方のブラシを大きく離す。
【００２８】
第２の態様のブラシ一体型容器では、容器本体が押圧されればその弾性変形により内容積を減少させる。よって、容器本体から内部筒状体の流路，処理液流出スリット、および第１のブラシスリット又は第２のブラシスリットを経て、第１のブラシ又は第２のブラシに毛髪処理剤を流出させる。
【００２９】
第３の態様のブラシ一体型容器では、外部筒状体が回動若しくは回転されて第１のブラシスリットと処理液流出スリットとが重なり合う位置に位置決めされると、容器本体又は内部筒状体に設けた開口指示手段と外部筒状体に設けた第１のブラシ合致手段とが合致する。よって、この両手段の合致をもって、第１のブラシスリットと処理液流出スリットとの重なり合い、即ち毛髪処理剤の流出対象ブラシが第１のブラシであることが視認できる。また、第２のブラシスリットと処理液流出スリットとが重なり合う位置に位置決めされると、開口指示手段と第２のブラシ合致手段との合致をもって、第２のブラシスリットと処理液流出スリットとの重なり合い、即ち毛髪処理剤の流出対象ブラシが第２のブラシであることが視認できる。
【００３０】
第４の態様のブラシ一体型容器では、重なり合う第２のブラシスリットと処理液流出スリットのうち内部筒状体から第２のブラシへの毛髪処理剤の実質的な流出状況を規定する側のスリットを、内部筒状体の閉塞された一端側ほどスリット幅が幅広のテーパ状に空けた。よって、この第２のブラシへの毛髪処理剤の実質的な流出状況を規定するスリット、即ち既述したように第２のブラシスリットと処理液流出スリットの両スリット若しくはいずれかのスリットにおいては、そのスリットの長さ方向でスリット幅の広狭により毛髪処理剤の流出量に差を持たせる。このため、毛髪処理剤が行き渡り易い容器本体側ではスリット幅が狭いためその流出が控えられ、容器本体から離れ毛髪処理剤が行き渡り難い側ではスリット幅が徐々に広くなり毛髪処理剤の流出量も徐々に増す。従って、この第２のブラシから毛髪処理剤を流出させる際にも、第２のブラシの毛髪梳き範囲に亘って毛髪処理剤の流出量をほぼ均一とする。
【００３１】
【実施例】
次に、本発明に係るブラシ一体型容器の好適な実施例について、図面に基づき説明する。
【００３２】
図１の斜視図と図２の分解斜視図に示すように、本実施例のブラシ一体型容器１０は、染毛剤等の毛髪処理剤を収納する容器本体１２を備える。この容器本体１２は、樹脂製の中空容器であり、把持されて押圧されると弾性変形して内容積を減少させ、押圧が解除されると元の形状に復帰するように形成されている。そして、容器本体１２は、片手での把持に違和感がなく、また、把持した掌に違和感なく納まる大きさとされており、その把持部の横断面形状は握り易い丸みを帯びた略三角形状とされている。
【００３３】
ブラシ一体型容器１０は、この容器本体１２の上端には、中間キャップ１４を係合・固定して備え、この中間キャップ１４を介在させて、ブラシキャップ１６を容器本体１２に対してやや下向きに傾斜して備える。中間キャップ１４は、容器本体１２とブラシキャップ１６との間に外観上介在してキャップとして機能する椀状のキャップ部１８を有し、このキャップ部１８上端からは筒状ロッド２０を突出して備える。つまり、このキャップ部１８と筒状ロッド２０とは、一体とされている。
【００３４】
また、この筒状ロッド２０の先端は、半球状の閉塞端２１とされている。そして、中間キャップ１４は、キャップ部１８の内側に下向きに設けた筒状係合部２２内周の雌ネジ部（図示省略）を、容器本体１２上端の筒状突起体２４外周の雄ネジ部に螺合することで、容器本体１２に係合・固定される。なお、容器本体１２に対するブラシキャップ１６の傾斜は、容器本体１２の上端面が容器本体１２の軸線に対して傾斜して形成されていることにより発現する。
【００３５】
ブラシキャップ１６は、図２および図１の３−３平面断面図である図３に示すように、中間キャップ１４の筒状ロッド２０にその閉塞端２１側から嵌合し、この筒状ロッド２０の軸線回りに回転自在に形成されている。より詳しくは、ブラシキャップ１６の内部は、その内部が筒状ロッド２０の外径よりごく僅かに大きい内径の有底孔２８とされている。
【００３６】
また、ブラシキャップ１６の外周壁面には、櫛歯をＶ字状に並べて立設してなる二つのブラシ部が、当該ブラシキャップ１６の先端側からその軸線に沿ってそれぞれ設けられている。一方のブラシ部は、櫛歯の立設本数が多くて立設間隔が広く櫛歯長さの長い第１ブラシ部３２であり、この第１ブラシ部３２は、櫛歯の立設領域である毛髪梳き部が広範囲とされている。他方のブラシ部は、櫛歯の立設本数が少なくて立設間隔が狭く櫛歯長さの短い第２ブラシ部３４であり、この第２ブラシ部３４は、毛髪梳き部が狭小範囲とされている。そして、この第１ブラシ部３２と第２ブラシ部３４とは、ブラシキャップ１６の軸線を中心に対称な位置に設けられており、図示するように背面を対向させた位置関係にある。
【００３７】
ここで、第１ブラシ部３２と第２ブラシ部３４の構成について、図１ないし図３に加え、ブラシキャップ１６の正面およびその左右の側面を表わした図４，図４のＸ方向矢視図の図５および図４の６−６線断面図の図６等を用いて説明する。第１ブラシ部３２は、Ｖ字状に並んで立設された櫛歯３２ａを有し、これら櫛歯３２ａの立設並びの上端および下端の端部櫛歯３２ｂは、他の櫛歯より太くされている。また、この第１ブラシ部３２は、この櫛歯３２ａに挟まれたブラシキャップ１６の外周壁面には、図６に示すように、櫛歯３２ａより櫛歯長さが短い略三角形状の中間櫛歯３２ｃを櫛歯３２ａの並びに沿って立設して備える。更に、第１ブラシ部３２は、その上下端の端部櫛歯３２ｂに挟まれたブラシキャップ１６の外周壁面には、櫛歯長さが端部櫛歯３２ｂより短く中間櫛歯３２ｃより長い棒状の端部中間櫛歯３２ｄをそれぞれ３本ずつ立設して備える。このため、第１ブラシ部３２では、中間櫛歯３２ｃは、櫛歯３２ａ，端部櫛歯３２ｂおよび端部中間櫛歯３２ｄで囲まれた窪みの底部に、並ぶことになる。
【００３８】
第２ブラシ部３４は、Ｖ字状に並んで立設された櫛歯３４ａを有し、これら櫛歯３４ａの立設並びの上端および下端の端部櫛歯３４ｂは、他の櫛歯より太くされている。また、この第２ブラシ部３４は、その上下端の端部櫛歯３４ｂに挟まれたブラシキャップ１６の外周壁面には、櫛歯長さが端部櫛歯３４ｂより短い棒状の端部中間櫛歯３４ｄを立設して備える。
【００３９】
次に、上記した第１ブラシ部３２，第２ブラシ部３４に容器本体１２内の毛髪処理剤を流出させるための構成について説明する。
【００４０】
中間キャップ１４は、図３に示すように、容器本体１２上端の筒状突起体２４における容器開口３６に連通する流路３８を、筒状係合部２２から筒状ロッド２０に亘って有する。このため、容器本体１２が押圧されてその内容積を減少させると、この流路３８には、容器開口３６を経て容器本体１２内の毛髪処理剤が流入する。また、筒状ロッド２０には、処理液流出スリット４０がロッドの軸線に沿って空けられており、流路３８内の毛髪処理剤は、当該流路からこの処理液流出スリット４０に流出する。この処理液流出スリット４０は、図２のＹ方向矢視図の図７に拡大して示すように、閉塞端２１側ほどスリット幅が幅広のテーパ状に空けられている。
【００４１】
その一方、ブラシキャップ１６には、それぞれの中間櫛歯３２ｃの基部に、その並びに沿って第１ブラシ側スリット４４が空けられている。この第１ブラシ側スリット４４は、図７中に一点鎖線で示すように、筒状ロッド２０の処理液流出スリット４０より幅広のストレートのスリットであり、処理液流出スリット４０にそのスリット長さの全域に亘って重なり合う。従って、筒状ロッド２０の処理液流出スリット４０にブラシキャップ１６の第１ブラシ側スリット４４が重なると、第１ブラシ側スリット４４の開口周縁領域は、処理液流出スリット４０周囲の筒状ロッド２０外壁面により内側から閉塞される。このため、第１ブラシ側スリット４４の開口領域の内側で処理液流出スリット４０が露出することになり、筒状ロッド２０から第１ブラシ部３２への毛髪処理剤の実質的な流出状況は、この露出した処理液流出スリット４０で規定される。
【００４２】
そして、図３に示すように、筒状ロッド２０の処理液流出スリット４０とブラシキャップ１６の第１ブラシ側スリット４４とが重なり合うと、流路３８内の毛髪処理剤は、これらスリットを経て流路３８から第１ブラシ部３２に流出する。この際、この第１ブラシ部３２では、それぞれの中間櫛歯３２ｃの間から毛髪処理剤が流出する。この場合、当該毛髪処理剤が染毛剤等のように比較的粘性の高いものであれば、その毛髪処理剤は、櫛歯３２ａ，端部櫛歯３２ｂおよび端部中間櫛歯３２ｄで囲まれた窪みにある程度の時間に亘って保持されることになる。なお、Ｖ字に向かい合う櫛歯３２ａおよび端部櫛歯３２ｂは、ブラシ一体型容器１０を横倒しした際の毛髪処理剤の流出をある程度防止し、上端の端部中間櫛歯３２ｄはブラシ一体型容器１０を倒立させた際の、また下端の端部中間櫛歯３２ｄはブラシ一体型容器１０の起立時の毛髪処理剤の流出をある程度防止する。
【００４３】
また、ブラシキャップ１６には、第１ブラシ部３２側の第１ブラシ側スリット４４と対向して第２ブラシ側スリット４８が空けられている。この第２ブラシ側スリット４８は、図７中に二点鎖線で示すように、筒状ロッド２０の処理液流出スリット４０より幅が狭いストレートのスリットである。従って、ブラシキャップ１６が図１，図３に示す位置から筒状ロッド２０の軸線回りに１８０度回転した位置をとると、第２ブラシ側スリット４８は図７に示すように筒状ロッド２０の処理液流出スリット４０と、幅広側でスリットの上半分の範囲で重なり、この第２ブラシ側スリット４８のみが外部に露呈することになる。そして、この場合には、流路３８内の毛髪処理剤は、処理液流出スリット４０を経て第２ブラシ側スリット４８から第２ブラシ部３４に流出する。なお、比較的粘性の高い染毛剤等は、第１ブラシ部３２の場合と同様、櫛歯３４ａ，端部櫛歯３４ｂおよび端部中間櫛歯３４ｄで囲まれた窪みにある程度の時間に亘って保持される。また、これら櫛歯により、横倒し時や倒立時等の毛髪処理剤の流出はある程度防止される。
【００４４】
次に、筒状ロッド２０に嵌合されその軸線回りに回転自在なブラシキャップ１６を容器本体１２に対して位置決め固定する構成について説明する。まず、中間キャップ１４と容器本体１２との位置決めについて説明する。中間キャップ１４のキャップ部１８には、図２に示すように、その内側周縁に凸状の位置決め凸部５０が１８０度のピッチで２個設けられている（図には一方のみ示す）。一方、容器本体１２の上端面には、筒状突起体２４基部の環状体５２において１８０度のピッチで２個の位置決め凹部５４が設けられている（図には一方のみ示す）。この位置決め凹部５４は、キャップ部１８の位置決め凸部５０が嵌合する形状とされている。
【００４５】
このため、中間キャップ１４は、キャップ部１８の筒状係合部２２が容器本体１２上端の筒状突起体２４に螺合されると、位置決め凸部５０への位置決め凹部５４の嵌合を通して、容器本体１２に位置決めされて係合・固定される。この場合、筒状ロッド２０は、その処理液流出スリット４０が傾斜した側に向くよう中間キャップ１４により容器本体１２に対して位置決めされる。そして、このように位置決めされるように、位置決め凸部５０と位置決め凹部５４は、それぞれキャップ部１８の内側周縁，筒状突起体２４基部の環状体５２に１８０度のピッチで設けられている。なお、位置決め凸部５０に位置決め凹部５４が嵌合する際には、キャップ部１８がやや外に拡張して位置決め凸部５０に位置決め凹部５４が嵌合し、その後にキャップ部１８は元の形状に復帰する。
【００４６】
図２，図３に示すように、中間キャップ１４には、この中間キャップ１４を介してブラシキャップ１６を容器本体１２に対して位置決めするための位置決め穴５６ａ，５６ｂが、キャップ部１８の上端面に１８０度のピッチで空けられている。この位置決め穴５６ａは、筒状ロッド２０における処理液流出スリット４０の延長上に位置して空けられている。また、キャップ部１８の外周面には、中間キャップ１４の螺合時等においてすべり止めとなる線条の盛り上がり部が等ピッチで形成されている。そして、上記の位置決め穴５６ａに該当する盛り上がり部は、位置決め穴５６ａ，延いては処理液流出スリット４０の開口位置を指し示すよう矢印状に盛り上がった開口指示マーク５８とされている。
【００４７】
また、ブラシキャップ１６の下端スカート部には、その周縁から下方に突出した係合突起６０ａ，６０ｂが１８０度のピッチで設けられている。しかも、係合突起６０ａは第１ブラシ部３２の第１ブラシ側スリット４４の延長上に位置するよう、係合突起６０ｂは第２ブラシ部３４の第２ブラシ側スリット４８の延長上に位置するようそれぞれ設けられている。
【００４８】
この係合突起６０ａ，６０ｂは、その下端に係合顎部を有し、キャップ部１８の位置決め穴５６ａ，５６ｂに嵌り込む。すると、各係合突起６０ａ，６０ｂの当該係合顎部は該当する位置決め穴の下端周縁に係合し、ブラシキャップ１６は、キャップ部１８、延いては容器本体１２に対して後述するように位置決め固定される。
【００４９】
また、ブラシキャップ１６の下端スカート部には、各係合突起６０ａ，６０ｂの両側に切欠６１が形成されており、切欠６１で挟まれたスカート部分は、当該部分の押圧により内側に撓む。よって、図３に示すように位置決め穴５６ａ，５６ｂに嵌り込んで係合している係合突起６０ａ，６０ｂは、切欠６１で挟まれたスカート部分の撓みに伴って内側に移動して各位置決め穴との係合が解かれる。このため、ブラシキャップ１６は、筒状ロッド２０に沿って上方に摺動可能となり、摺動後には筒状ロッド２０の軸線回りに回転可能となる。
【００５０】
従って、図２，図３に示すように、中間キャップ１４の位置決め穴５６ａにブラシキャップ１６の係合突起６０ａが嵌り込んで係合し、位置決め穴５６ｂに係合突起６０ｂが嵌り込んで係合している場合には、ブラシキャップ１６は容器本体１２に対して次のように位置決め固定されることになる。つまり、位置決め穴５６ａは筒状ロッド２０の処理液流出スリット４０の延長上に位置し、係合突起６０ａは第１ブラシ部３２の第１ブラシ側スリット４４の延長上に位置することから、筒状ロッド２０の処理液流出スリット４０と第１ブラシ部３２の第１ブラシ側スリット４４とが重なり合うよう、ブラシキャップ１６は容器本体１２に対して位置決め固定される。そして、この場合には、第１ブラシ部３２が容器本体１２に対して下向きに傾斜することになる。
【００５１】
その一方、係合突起６０ａ，６０ｂの係合が解かれてブラシキャップ１６が筒状ロッド２０の軸線回りに１８０度回転されその後に各係合突起が位置決め穴に係合した場合には、ブラシキャップ１６は容器本体１２に対して次のように位置決め固定されることになる。この場合には、中間キャップ１４の位置決め穴５６ａに係合突起６０ｂが嵌り込んで係合し、位置決め穴５６ｂに係合突起６０ａが嵌り込んで係合する。よって、筒状ロッド２０の処理液流出スリット４０と第２ブラシ部３４の第２ブラシ側スリット４８とが重なり合うよう、ブラシキャップ１６は容器本体１２に対して位置決め固定される。そして、第２ブラシ部３４が容器本体１２に対して下向きに傾斜することになる。
【００５２】
切欠６１で挟まれたブラシキャップ１６の下端スカート部外周面には、上記した各係合突起６０ａ，６０ｂの上方に線条の盛り上がり部が並んで形成されており、当該盛り上がり部分は切欠６１で挟まれたスカート部分を撓ませる際のすべり止めとなる。そして、最下段の盛り上がり部は、該当する係合突起６０ａ，６０ｂを指し示すよう矢印状に盛り上がって形成されており、係合突起６０ａに該当する側は第１ブラシマーク６２ａと、係合突起６０ｂに該当する側は第２ブラシマーク６２ｂとされている。この場合、係合突起６０ａは第１ブラシ部３２の第１ブラシ側スリット４４の延長上に位置し、係合突起６０ｂは第２ブラシ部３４の第２ブラシ側スリット４８の延長上に位置することから、第１ブラシマーク６２ａは第１ブラシ側スリット４４を示し、第２ブラシマーク６２ｂは第２ブラシ側スリット４８を示すことになる。
【００５３】
そして、既述したようにブラシキャップ１６が容器本体１２に対して位置決め固定され、筒状ロッド２０の処理液流出スリット４０と第１ブラシ部３２の第１ブラシ側スリット４４とが重なり合うと、図１に示すように、第１ブラシマーク６２ａは開口指示マーク５８と合致する。一方、ブラシキャップ１６が１８０度回転されて筒状ロッド２０の処理液流出スリット４０と第２ブラシ部３４の第２ブラシ側スリット４８とが重なり合うと、第２ブラシマーク６２ｂは開口指示マーク５８と合致する。
【００５４】
以上説明したように本実施例のブラシ一体型容器１０では、櫛歯の立設本数が多いぶん毛髪梳き部が広範囲なために毛髪量の多い箇所の毛髪処理に適した第１ブラシ部３２から毛髪処理剤を流出させる場合には、係合突起６０ａを位置決め穴５６ａに、係合突起６０ｂを位置決め穴５６ｂに嵌め込んで係合し、ブラシキャップ１６を容器本体１２に対して位置決めする。ブラシキャップ１６がこのように位置決めされると、第１ブラシ部３２の第１ブラシ側スリット４４は、筒状ロッド２０の処理液流出スリット４０と重なり合う。このため、容器本体１２を把持して押圧すれば、処理液流出スリット４０および第１ブラシ側スリット４４を経て第１ブラシ部３２から毛髪処理剤を流出させる。よって、この第１ブラシ部３２で毛髪を梳けば、流出した毛髪処理剤で毛髪を処理、例えば染毛する。
【００５５】
その一方、櫛歯の立設本数が少なくて立設間隔が狭く櫛歯長さの短いために毛髪梳き部が狭小範囲で生え際・短毛箇所の毛髪処理に適した第２ブラシ部３４から毛髪処理剤を流出させる場合には、次のようにする。まず、切欠６１で挟まれたブラシキャップ１６のスカート部を押圧して係合突起６０ａ，６０ｂと位置決め穴５６ａ，５６ｂの係合を解く。その後、ブラシキャップ１６を筒状ロッド２０に沿って摺動させて僅かに持ち上げ、ブラシキャップ１６を筒状ロッド２０の軸線回りに１８０度回転させる。
【００５６】
そして、ブラシキャップ１６を摺動して押し下げ、係合突起６０ｂを位置決め穴５６ａに、係合突起６０ａを位置決め穴５６ｂに嵌め込んで係合し、ブラシキャップ１６を容器本体１２に対して位置決めする。つまり、係合突起の係合対象となる位置決め穴を第１ブラシ部３２の場合から変更する。そして、ブラシキャップ１６がこのように新たに位置決めされると、第２ブラシ部３４の第２ブラシ側スリット４８は、筒状ロッド２０の処理液流出スリット４０と幅広側でスリットの上半分の範囲で重なり合い、処理液流出スリット４０の下半分の範囲はブラシキャップ１６の有底孔２８内周面で塞がれる。このため、容器本体１２を把持して押圧すれば、処理液流出スリット４０の上半分の範囲および第２ブラシ側スリット４８を経て第２ブラシ部３４から毛髪処理剤を流出させる。よって、この第２ブラシ部３４で毛髪を梳けば、流出した毛髪処理剤で毛髪を処理、例えば染毛する。
【００５７】
従って、本実施例のブラシ一体型容器１０では、毛髪量の多い箇所の毛髪処理に適した第１ブラシ部３２と生え際・短毛箇所の毛髪処理に適した第２ブラシ部３４との使い分けを、筒状ロッド２０の軸線回りのブラシキャップ１６の回転で済ませる。そして、いずれか一方のブラシにより毛髪を梳いて毛髪処理を行なうに際しては、このブラシキャップ１６の回転を通したブラシの使い分けに続いてブラシキャップ１６を容器本体１２に対して位置決めし、毛髪処理剤を容器本体１２から供給すればよい。よって、ブラシ一体型容器１０では、ブラシの取り外し交換や保管を行なわなくても毛髪量の多い箇所と生え際・短毛箇所の毛髪処理を実行できると共に、毛髪を梳く際には両手を必要とせず片手で十分である。この結果、本実施例のブラシ一体型容器１０によれば、その使い勝手の向上と毛髪処理領域の拡張との両立を図ることができる。
【００５８】
本実施例のブラシ一体型容器１０では、第１ブラシ部３２と第２ブラシ部３４とをブラシキャップ１６の軸線回りに１８０度ずれた対称な位置において形成した。このため、第１ブラシ部３２と第２ブラシ部３４の一方のブラシで毛髪処理剤を流出させつつ毛髪を梳いている場合には、毛髪処理剤が流出していない側の他方のブラシを毛髪を梳いている側のブラシから大きく離す。よって、本実施例のブラシ一体型容器１０によれば、一方のブラシ、例えば第１ブラシ部３２での毛髪の梳き作業を、第２ブラシ部３４によって阻害することはなく好適に行なうことができる。また、この第２ブラシ部３４によって頭皮や顔面の皮膚等に毛髪処理剤を不用意に付着させない。なお、第１ブラシ部３２についても同様である。
【００５９】
また、容器本体１２を樹脂製の中空容器とし押圧されればその弾性変形により内容積を減少させるものとした。よって、片手で容器本体１２を把持して毛髪を梳いている最中に毛髪処理剤が必要となれば、その都度に、容器本体１２を把持・押圧すれば、第１ブラシ部３２又は第２ブラシ部３４に毛髪処理剤を流出させる。このため、ブラシ一体型容器１０によれば、毛髪処理剤を新たに流出させるために容器の持ち替え等を必要としないので、毛髪の梳き作業を効率よく行なうことができる。
【００６０】
更に、ブラシ一体型容器１０では、筒状ロッド２０の処理液流出スリット４０を閉塞端２１側ほどスリット幅が幅広のテーパ状のスリットとし、この処理液流出スリット４０を第１ブラシ側スリット４４の開口領域の内側で露出させた。そして、この露出したテーパ状の処理液流出スリット４０を、筒状ロッド２０から第１ブラシ部３２への毛髪処理剤の実質的な流出状況を規定するスリットとした。よって、次のような効果がある。
【００６１】
この処理液流出スリット４０においては、毛髪処理剤が行き渡り易い容器本体１２側ではスリット幅が狭いためにその流出が控えられ、容器本体１２から離れ毛髪処理剤が行き渡り難い閉塞端２１側ではスリット幅が徐々に広くなり毛髪処理剤の流出量も徐々に増す。従って、第１ブラシ部３２における毛髪処理剤の流出量を、その毛髪梳き部に亘ってほぼ均一とするので、第１ブラシ部３２から毛髪処理剤を流出させつつ毛髪を梳いて行なう毛髪処理の仕上がり品質の均一化（例えば、染毛剤による染毛程度の均一化）を図ることができる。なお、筒状ロッド２０から第２ブラシ部３４への毛髪処理剤の実質的な流出状況はストレートの第２ブラシ側スリット４８で規定されるので、第２ブラシ部３４における毛髪処理剤の流出量は、上記したようにその毛髪梳き部に亘ってほぼ均一とはならない。しかしながら、第２ブラシ部３４ではその毛髪梳き範囲が狭いため、毛髪処理において本質的な問題とはならない。もっとも、後述するように、この第２ブラシ部３４においてもその毛髪処理剤の流出量を毛髪梳き部に亘ってほぼ均一とすることは可能である。
【００６２】
更に、第１ブラシ部３２については、筒状ロッド２０の処理液流出スリット４０から流出する総ての毛髪処理剤を第１ブラシ部３２に流出させる。その一方、第２ブラシ部３４については、処理液流出スリット４０の上半分の範囲で重なる幅狭の第２ブラシ側スリット４８からしか毛髪処理剤を流出させないので、第１ブラシ部３２の場合よりはその流出量を少なくする。
【００６３】
このため、毛髪処理剤の流出対象ブラシを第１ブラシ部３２から第２ブラシ部３４に変えるだけで毛髪処理剤の流出量を少なく調整することができ、その反対に、流出対象ブラシを第２ブラシ部３４から第１ブラシ部３２に変えるだけで毛髪処理剤の流出量を多めに調整することができる。よって、ブラシ一体型容器１０によれば、第１ブラシ部３２および第２ブラシ部３４における毛髪処理剤の過不足を招くことがなく、毛髪の梳き箇所に拘らず毛髪処理効率とその品質を高めることができる。
【００６４】
また、ブラシ一体型容器１０では、処理液流出スリット４０に第１ブラシ側スリット４４が重なり合うようブラシキャップ１６が容器本体１２に位置決めされると、開口指示マーク５８と第１ブラシマーク６２ａとが合致する。一方、処理液流出スリット４０に第２ブラシ側スリット４８が重なり合うようブラシキャップ１６が位置決めされると、開口指示マーク５８と第２ブラシマーク６２ｂとが合致する。従って、開口指示マーク５８と合致したマークが第１ブラシマーク６２ａであるか第２ブラシマーク６２ｂであるかを容易に見分けることができ、開口指示マーク５８との合致するマークにより、毛髪処理剤の流出対象ブラシが第１ブラシ部３２又は第２ブラシ部３４のいずれであるかを視認できる。よって、本実施例のブラシ一体型容器１０によれば、毛髪の梳き作業を毛髪処理剤が流出しない側のブラシで行なうといった誤った使い方をしないよう、確実に使用者に促すことができ、使い勝手を向上させることができる。
【００６５】
また、本実施例では、毛髪処理剤の流出対象となった方の第１ブラシ部３２又は第２ブラシ部３４を、必ず容器本体１２に対して下向きに傾斜させるので、毛髪を梳きながらの毛髪処理作業の際に、使用者に無理な手首の屈曲を強いることがない。
【００６６】
次に、参考例のブラシ一体型容器について説明する。この参考例のブラシ一体型容器１００は、そのブラシ部を一つしか有しない点で上記のブラシ一体型容器１０とその構成が相違する。よって、共通する構成や部材についてはその詳細な説明は省略し、ブラシ一体型容器１０で説明した部材名と符号をそのまま用いることとする。
【００６７】
図８に示すように、参考例のブラシ一体型容器１００は、毛髪処理剤収納用の中空の容器本体１２の上端に、ブラシキャップ１６を直接係合・固定して備える。つまり、ブラシキャップ１６下端は、上記のブラシ一体型容器１０における椀状のキャップ部１８とされており、その内側の筒状係合部２２と筒状突起体２４とで、ブラシキャップ１６は容器本体１２に螺合されている。なお、ブラシキャップ１６の容器本体１２に対する位置決めは、ブラシ一体型容器１０の場合と同様に、キャップ部１８内周縁の位置決め凸部５０が容器本体１２の位置決め凹部５４に嵌合することで行なわれる（図２参照）。
【００６８】
このブラシ一体型容器１００は、ブラシ一体型容器１０とは異なり、そのブラシキャップ１６には、第１ブラシ部３２しか有しない。この第１ブラシ部３２の櫛歯構成は、ブラシ一体型容器１０と同様である。また、図８の９−９平面断面図である図９に示すように、ブラシキャップ１６の内部は、容器本体１２上端の筒状突起体２４における容器開口３６に連通する流路１３８とされている。そして、ブラシキャップ１６には、処理液流出スリット１４０がその筒状部の軸線に沿って空けられており、流路１３８内の毛髪処理剤は、当該流路からこの処理液流出スリット１４０に流出する。この処理液流出スリット１４０は、図９の１０−１０線拡大断面図の図１０に示すように、ブラシキャップ１６の閉塞端１６ａ側ほどスリット幅が幅広のテーパ状に空けられている。なお、この図１０には、説明の便宜上描かれていないが、処理液流出スリット１４０にはそれぞれの中間櫛歯３２ｃの基部が見られる。
【００６９】
つまり、参考例のブラシ一体型容器１００では、ブラシ一体型容器１０における筒状ロッド２０を有しないので、ブラシ一体型容器１０での流路３８と処理液流出スリット４０とは、それぞれ流路１３８，処理液流出スリット１４０として、このブラシキャップ１６に設けられている。
【００７０】
以上説明した参考例のブラシ一体型容器１００では、第１ブラシ部３２から毛髪処理剤を流出させるための処理液流出スリット１４０を閉塞端１６ａ側ほどスリット幅が幅広のテーパ状のスリットとし、この処理液流出スリット１４０から第１ブラシ部３２に毛髪処理剤を流出させる。このため、このブラシ一体型容器１００であっても、処理液流出スリット１４０においては、毛髪処理剤が行き渡り易い容器本体１２側ではスリット幅が狭いためにその流出が控えられ、容器本体１２から離れ毛髪処理剤が行き渡り難い閉塞端１６ａ側ではスリット幅が徐々に広くなり毛髪処理剤の流出量も徐々に増す。従って、第１ブラシ部３２における毛髪処理剤の流出量を、その毛髪梳き部に亘ってほぼ均一とするので、第１ブラシ部３２から毛髪処理剤を流出させつつ毛髪を梳いて行なう毛髪処理の仕上がり品質の均一化（例えば、染毛剤による染毛程度の均一化）を図ることができる。
【００７１】
以上本発明の一実施例について説明したが、本発明はこの様な実施例になんら限定されるものではなく、本発明の要旨を逸脱しない範囲において種々なる態様で実施し得ることは勿論である。
【００７２】
例えば、本実施例では容器本体１２を押圧により内部の毛髪処理剤が流出するよう構成したが、容器本体１２をスプレー缶容器として毛髪処理剤を噴霧して流出するよう構成することもできる。また、第１ブラシ部３２，第２ブラシ部３４を櫛歯３２ａ，櫛歯３４ａがＶ字状に立設されたものとしたが、これに限るわけではない。つまり、第１ブラシ部３２，第２ブラシ部３４を櫛歯３２ａ，櫛歯３４ａが一列に並んで立設されたものとし、各櫛歯の間から毛髪処理剤が流出するようブラシ側のスリットを設けることもできる。
【００７３】
更に、第１ブラシ部３２と第２ブラシ部３４とをいわゆる背中合わせとなるようブラシキャップ１６の軸線回りに１８０度ずれた位置に配置したが、両ブラシ部をブラシキャップ１６の軸線回りに例えば９０度ずれた位置に配置することもできる。また、毛髪処理剤の流出対象となるブラシを使用者により確実に了知させるために、開口指示マーク５８下方に当たる容器本体１２側面の領域、図１において二点鎖線で囲った領域Ａに、例えば「このマークと一致した側のブラシで染毛して下さい」等の注意書きを記すことも有効である。
【００７４】
また、筒状ロッド２０から毛髪処理剤を流出するためのテーパ状の処理液流出スリット４０を、図１１に示すように、それぞれがテーパ状で上下に２分割された上部処理液流出スリット４０ａと下部処理液流出スリット４０ｂとすることもできる。勿論、３分割以上の複数のスリットとすることもできる。
【００７５】
更には、図１２に示すように、筒状ロッド２０にその軸線に沿って複数の孔を一列に並べて空け、容器本体１２から離間するに従って孔の径を大きくする、つまり閉塞端２１側の孔ほどその径を大きくする。この孔の一群４０ｃであっても、毛髪処理剤が行き渡り易い容器本体１２側では孔径が小さいにその流出が控えられ、容器本体１２から離れ毛髪処理剤が行き渡り難い閉塞端２１側では孔径が徐々に大きくなり毛髪処理剤の流出量も徐々に増す。よって、この孔の一群４０ｃをテーパ状の処理液流出スリット４０に替えて採用することもできる。勿論、上部処理液流出スリット４０ａと下部処理液流出スリット４０ｂ、或いは孔の一群４０ｃを、参考例におけるブラシ一体型容器１００の処理液流出スリット１４０に替えて採用することもできる。なお、テーパ状の処理液流出スリット４０や処理液流出スリット１４０に替わる孔の一群としては、図１３に示すように、筒状ロッド２０の軸線に沿って同一径の孔を複数空け、閉塞端２１側程、多くの数の孔を穿孔するような孔の一群４０ｄでもよい。
【００７６】
また、第２ブラシ部３４の第２ブラシ側スリット４８を、筒状ロッド２０の処理液流出スリット４０の上半分の範囲で重なり合うよう構成したが、下半分の範囲で重なり合うよう構成することもできる。
【００７７】
また、第１ブラシ部３２において中間櫛歯３２ｃを設けその間から毛髪処理剤が流出するよう構成したが、この中間櫛歯３２ｃ自体を省略し、第１ブラシ側スリット４４から直接毛髪処理剤が流出するよう構成することもできる。
【００７８】
更に、上記の実施例では、筒状ロッド２０の処理液流出スリット４０をテーパ状のスリットとし、ブラシキャップ１６の第１ブラシ側スリット４４を処理液流出スリット４０より幅広のストレートのスリットとし、第２ブラシ側スリット４８を処理液流出スリット４０より幅が狭いストレートのスリットとした。しかし、これに限るわけではなく、第１ブラシ側スリット４４をテーパ状の処理液流出スリット４０と同一形状のテーパ状のスリットとすることができるほか、次のようにすることもできる。
【００７９】
即ち、図１４に示すように、ブラシキャップ１６の第２ブラシ側スリット４８を、処理液流出スリット４０より幅広のストレートのスリットでこの処理液流出スリット４０の上半分の範囲で重なり合う第２ブラシ側スリット４８ａとしたり、処理液流出スリット４０の下半分の範囲で重なり合うよう第２ブラシ側スリット４８ｂとすることもできる。そして、この第２ブラシ側スリット４８ａ，４８ｂであれば、処理液流出スリット４０の上半分又は下半分の範囲でこの処理液流出スリット４０を第２ブラシ側スリット４８ａ，４８ｂの開口領域の内側で露出させた。よって、この露出した範囲の処理液流出スリット４０を、筒状ロッド２０から第２ブラシ部３４への毛髪処理剤の実質的な流出状況を規定するスリットとする。
【００８０】
このため、既述したブラシ一体型容器１０における第１ブラシ部３２の場合と同様に、第２ブラシ部３４における毛髪処理剤の流出量を、その毛髪梳き部に亘ってほぼ均一とすることを通して、第２ブラシ部３４での毛髪処理の仕上がり品質の均一化（例えば、染毛剤による染毛程度の均一化）を図ることができる。しかも、第２ブラシ側スリット４８ａであれば、処理液流出スリット４０のスリット幅の幅広側で処理液流出スリット４０と重なるので、第２ブラシ側スリット４８ｂより多くの量の毛髪処理剤を流出することができる。
【００８１】
また、図１５に示すように、筒状ロッド２０の処理液流出スリット４０をストレートのスリットとし、ブラシキャップ１６の第１ブラシ側スリット４４を処理液流出スリット４０よりそのスリット長さに亘って幅が狭く、且つ、閉塞端２１側で幅広のテーパ状のスリットとすることもできる。この場合には、筒状ロッド２０の処理液流出スリット４０の開口周縁領域は、第１ブラシ側スリット４４周囲のブラシキャップ１６内壁面により外側から閉塞される。このため、処理液流出スリット４０はブラシキャップ１６によりその開口周縁領域が塞がれて外側からは見られず、テーパ状の第１ブラシ側スリット４４のみが外部に露呈することになる。
【００８２】
よって、このように処理液流出スリット４０，第１ブラシ側スリット４４を空けた場合は、筒状ロッド２０から第１ブラシ部３２への毛髪処理剤の実質的な流出状況は、ブラシキャップ１６の第１ブラシ側スリット４４で記載される。そして、この場合にあっても、毛髪処理剤が行き渡り易い容器本体側での流出抑制と、容器本体１２から離れた毛髪処理剤が行き渡り難い閉塞端２１側での流出量の漸増とを通して、第１ブラシ部３２における毛髪処理剤の流出量を、その毛髪梳き部に亘ってほぼ均一とすることができ、毛髪処理の仕上がり品質の均一化を図ることができる。
【００８３】
【発明の効果】
以上詳述したように本発明のブラシ一体型容器では、容器本体からの毛髪処理剤の流出対象となるブラシとして、毛髪梳き部が広くて毛髪量の多い箇所の毛髪処理に適した第１のブラシと、生え際・短毛箇所の毛髪処理に適した第２のブラシとを外部筒状体に備え、両ブラシの使い分けを内部筒状体の軸線回りの外部筒状体の回動若しくは回転で済ませる。そして、いずれか一方のブラシにより毛髪を梳いて毛髪処理を行なうに際しては、外部筒状体の回動若しくは回転を通したブラシの使い分けに続いて外部筒状体を内部筒状体又は容器本体に対して位置決めし、毛髪処理剤を容器本体から供給すればよい。よって、本発明のブラシ一体型容器では、ブラシの取り外し交換や保管を行なわなくても毛髪量の多い箇所と生え際・短毛箇所の毛髪処理を実行できると共に、毛髪を梳く際には両手を必要とせず片手で十分である。この結果、本発明のブラシ一体型容器によれば、その使い勝手の向上と毛髪処理領域の拡張との両立を図ることができる。
【００８５】
しかも、この本発明のブラシ一体型容器では、毛髪梳き部が広くて毛髪量の多い箇所の毛髪処理に適した第１のブラシには、処理液流出スリットから流出するそのほぼ総ての毛髪処理剤を流出させ、生え際・短毛箇所の毛髪処理に適した第２のブラシには、処理液流出スリットから流出する毛髪処理剤の量を第１のブラシより控える。よって、毛髪の梳き箇所の毛髪量，毛髪長さ等の毛髪の状況或いは毛髪梳き範囲の広狭に応じた毛髪処理剤の流出量の調整を通して、第１のブラシおよび第２のブラシにおける毛髪処理剤の過不足を招かない。このため、本発明のブラシ一体型容器によれば、上記の毛髪の状況や毛髪梳き範囲の広狭に拘らず毛髪処理効率を高めることができる。
【００８６】
加えて、本発明のブラシ一体型容器では、第１のブラシへの毛髪処理剤の実質的な流出状況を規定するスリットを内部筒状体の閉塞された一端側ほどスリット幅が幅広のテーパ状に空けた。このスリット幅の広狭により、毛髪処理剤が行き渡り易い容器本体側ではその流出を控え、容器本体から離れ毛髪処理剤が行き渡り難い側では徐々に毛髪処理剤の流出量を増す。この結果、本発明のブラシ一体型容器によれば、毛髪梳き部の広い第１のブラシでは、その毛髪梳き範囲に亘って毛髪処理剤の流出量をほぼ均一とすることができ、毛髪の梳き箇所における毛髪への毛髪処理剤の付着量の均一化を通して、毛髪処理の仕上がり品質を高めることができる。
【００８７】
本発明の第１の態様のブラシ一体型容器では、第１のブラシと第２のブラシの一方のブラシで毛髪処理剤を流出させつつ毛髪を梳いている場合には、毛髪処理剤が流出していない側の他方のブラシを毛髪を梳いている側のブラシから大きく離す。このため、第１の態様のブラシ一体型容器によれば、一方のブラシでの毛髪の梳き作業を、他方のブラシによって阻害することはなく好適に行なうことができる。また、この他方のブラシによって頭皮や顔面の皮膚等に毛髪処理剤を不用意に付着させない。
【００８８】
本発明の第２の態様のブラシ一体型容器では、片手で容器本体を把持して毛髪を梳いている最中に毛髪処理剤が必要となれば、その都度に、容器本体を押圧すれば、第１のブラシ又は第２のブラシに毛髪処理剤を流出させる。このため、第２の態様のブラシ一体型容器によれば、毛髪処理剤を新たに流出させるために容器の持ち替え等を必要としないので、毛髪の梳き作業を効率よく行なうことができる。
【００８９】
本発明の第３の態様のブラシ一体型容器では、毛髪処理剤の流出対象ブラシが第１のブラシであるか第２のブラシであるかを、外部から視認できる。よって、第３の態様のブラシ一体型容器によれば、毛髪の梳き作業を毛髪処理剤が流出しない側のブラシで行なうといった誤った使い方をしないよう、確実に使用者に促すことができ、使い勝手を向上させることができる。
【００９０】
本発明の第４の態様のブラシ一体型容器では、第２のブラシへの毛髪処理剤の実質的な流出状況を規定するスリットを内部筒状体の閉塞された一端側ほどスリット幅が幅広のテーパ状に空けた。従って、この第４の態様のブラシ一体型容器では、毛髪梳き部の狭い第２のブラシにあっても、毛髪処理剤が行き渡り易い容器本体側ではその流出を控え、容器本体から離れ毛髪処理剤が行き渡り難い側では徐々に毛髪処理剤の流出量を増す。この結果、第４の態様のブラシ一体型容器によれば、毛髪梳き部の広い第１のブラシに加え、毛髪梳き部の狭い第２のブラシの毛髪梳き範囲に亘って毛髪処理剤の流出量をほぼ均一とすることができ、毛髪の梳き箇所の広狭に拘らず、毛髪への毛髪処理剤の付着量の均一化を通して、毛髪処理の仕上がり品質を高めることができる。
【図面の簡単な説明】
【図１】第１実施例のブラシ一体型容器１０の斜視図。
【図２】ブラシ一体型容器１０の分解斜視図。
【図３】図１の３−３平面断面図。
【図４】ブラシキャップ１６の正面およびその左右の側面を表わした説明図。
【図５】図４のＸ方向矢視図。
【図６】図４の６−６線断面図。
【図７】図２のＹ方向拡大矢視図。
【図８】参考例のブラシ一体型容器１００の斜視図。
【図９】図８の９−９平面断面図。
【図１０】図９の１０−１０線拡大断面図。
【図１１】筒状ロッド２０の処理液流出スリット４０の変形例を説明するための説明図。
【図１２】処理液流出スリット４０の他の変形例を説明するための説明図。
【図１３】処理液流出スリット４０の他の変形例を説明するための説明図。
【図１４】ブラシキャップ１６の第２ブラシ側スリット４８の変形例を説明するための説明図。
【図１５】ブラシキャップ１６の第１ブラシ側スリット４４と筒状ロッド２０の処理液流出スリット４０の変形例を説明するための説明図。
【符号の説明】
１０…ブラシ一体型容器
１２…容器本体
１４…中間キャップ
１６…ブラシキャップ
１６ａ…閉塞端
１８…キャップ部
２０…筒状ロッド
２１…閉塞端
２２…筒状係合部
２４…筒状突起体
２８…有底孔
３２…第１ブラシ部
３２ａ…櫛歯
３２ｂ…端部櫛歯
３２ｃ…中間櫛歯
３２ｄ…端部中間櫛歯
３４…第２ブラシ部
３４ａ…櫛歯
３４ｂ…端部櫛歯
３４ｄ…端部中間櫛歯
３６…容器開口
３８…流路
４０…処理液流出スリット
４０ａ…上部処理液流出スリット
４０ｂ…下部処理液流出スリット
４０ｃ…孔の一群
４０ｄ…孔の一群
４４…第１ブラシ側スリット
４８…第２ブラシ側スリット
４８ａ，４８ｂ…第２ブラシ側スリット
５０…位置決め凸部
５２…環状体
５４…位置決め凹部
５６ａ，５６ｂ…位置決め穴
５８…開口指示マーク
６０ａ，６０ｂ…係合突起
６１…切欠
６２ａ…第１ブラシマーク
６２ｂ…第２ブラシマーク
１００…ブラシ一体型容器
１３８…流路
１４０…処理液流出スリット
【図１】
0003629506.tif 000002
【図２】
0003629506.tif 000003
【図３】
0003629506.tif 000004
【図４】
0003629506.tif 000005
【図５】
0003629506.tif 000006
【図６】
0003629506.tif 000007
【図７】
0003629506.tif 000008
【図８】
0003629506.tif 000009
【図９】
0003629506.tif 000010
【図１０】
0003629506.tif 000011
【図１１】
0003629506.tif 000012
【図１２】
0003629506.tif 000013
【図１３】
0003629506.tif 000014
【図１４】
0003629506.tif 000015
【図１５】
0003629506.tif 000016